(57)【要約】      （修正有）【課題】使用者が無線周波識別システムデータ・カードを使用する時、携帯や使用上により便利で、キャッチ装置に合わせて、該データ・カードが広く応用されることができる無線周波識別システムのキャッチ装置を提供する。【解決手段】キャッチ装置１には、スロット１１があり、キャッチ装置１は、ＭＰ３、携帯電話、腕時計やベルト等のような、使用者が便利に持ち歩ける装置であり、データ・カード２の内部には、メモリチップ２１があり、いろんなデータが記憶され、データ・カード２は、キャッチ装置１のスロット１１に挿設でき、メモリチップ２１内には、ダイオードや容量等の素子があり、メモリチップ２１には、アンテナ２２が接続され、該アンテナ２２は、PCB或いはエナメル線であり、上記の結構により、新しい、無線周波識別システムのキャッチ装置が構成される。【選択図】図１
0003101614.tif 000002
【実用新案登録請求の範囲】
【請求項１】
スロットがあるキャッチ装置と、
上記キャッチ装置のスロットに挿設できメモリチップがあり、該メモリチップには、いろんなデータが記憶され、また、該メモリチップは、アンテナに接続される、データ・カードとを有する、ことを特徴する無線周波識別システムのキャッチ装置。
【請求項２】
該キャッチ装置は、ＭＰ３、携帯電話、腕時計やベルトである、ことを特徴する、実用新案登録請求の範囲請求項１記載の無線周波識別システムのキャッチ装置。
【請求項３】
該メモリチップ内には、ダイオードや容量等の素子がある、ことを特徴する、実用新案登録請求の範囲請求項１記載の無線周波識別システムのキャッチ装置。
【請求項４】
該アンテナは、ＰＣＢ或いはエナメル線である、ことを特徴する、実用新案登録請求の範囲請求項１記載の無線周波識別システムのキャッチ装置。
【請求項５】
少なくとも一つ以上のスロットがあり、内部には、アンテナが接続され、該アンテナには、メモリチップが接続される、キャッチ装置と、
データが記憶され、また、上記キャッチ装置のスロット中に挿設でき、また、その一面にあるコンタクト部により、上記のアンテナと電気的に接続する、メモリチップと、
を有する、ことを特徴する無線周波識別システムのキャッチ装置。
【請求項６】
該キャッチ装置は、直接にアンテナを有するデータ・カードが挿設される第２のスロットを、更に含有する、ことを特徴する、実用新案登録請求の範囲請求項５記載の無線周波識別システムのキャッチ装置。
【請求項７】
該キャッチ装置は、ＭＰ３、携帯電話やベルトである、ことを特徴する、実用新案登録請求の範囲請求項５記載の無線周波識別システムのキャッチ装置。
【請求項８】
該メモリチップ内には、ダイオードや容量等の素子がある、ことを特徴する、実用新案登録請求の範囲請求項5記載の無線周波識別システムのキャッチ装置。
【請求項９】
該アンテナは、ＰＣＢ或いはエナメル線である、ことを特徴する、実用新案登録請求の範囲請求項５記載の無線周波識別システムのキャッチ装置。
【請求項１０】
その内にメモリチップがあり、該メモリチップに、いろんなデータが記憶され、また、その内に、誘導起電力を生成するアンテナが設置される、キャッチ装置を有する、ことを特徴する、無線周波識別システムのキャッチ装置。
【請求項１１】
該キャッチ装置は、ＭＰ３、携帯電話やベルトである、ことを特徴する、実用新案登録請求の範囲請求項１０記載の無線周波識別システムのキャッチ装置。
【請求項１２】
該メモリチップ内には、ダイオードや容量等の素子がある、ことを特徴する、実用新案登録請求の範囲請求項１０記載の無線周波識別システムのキャッチ装置。
【請求項１３】
該アンテナは、ＰＣＢ或いはエナメル線である、ことを特徴する、実用新案登録請求の範囲請求項１０記載の無線周波識別システムのキャッチ装置。
【請求項１４】
ハウジングがあり、メモリチップとアンテナとがハウジングの内に設置される、キャッチ装置を有する、ことを特徴する無線周波識別システムのキャッチ装置。
【請求項１５】
該キャッチ装置は、ＭＰ３、携帯電話やベルトである、ことを特徴する、実用新案登録請求の範囲請求項１４記載の無線周波識別システムのキャッチ装置。
【請求項１６】
該メモリチップ内には、ダイオードや容量等の素子がある、ことを特徴する、実用新案登録請求の範囲請求項１４記載の無線周波識別システムのキャッチ装置。
【請求項１７】
該アンテナは、ＰＣＢ或いはエナメル線である、ことを特徴する、実用新案登録請求の範囲請求項１４記載の無線周波識別システムのキャッチ装置。
【請求項１８】
粘着装置があり、前記粘着装置がメモリチップとアンテナとから形成され、ハウジングに貼り付けられる、キャッチ装置
を有する、ことを特徴する無線周波識別システムのキャッチ装置。
【請求項１９】
該キャッチ装置は、ＭＰ３、携帯電話やベルトである、ことを特徴する、実用新案登録請求の範囲請求項１８記載の無線周波識別システムのキャッチ装置。
【請求項２０】
該メモリチップ内には、ダイオードや容量等の素子がある、ことを特徴する、実用新案登録請求の範囲請求項１８記載の無線周波識別システムのキャッチ装置。
【請求項２１】
該アンテナは、ＰＣＢ或いはエナメル線である、ことを特徴する、実用新案登録請求の範囲請求項１８記載の無線周波識別システムのキャッチ装置。
【請求項２２】
該粘着装置は、フレキシブル回路板からなり、その一面に粘着物が塗布されている、ことを特徴する、実用新案登録請求の範囲請求項１８記載の無線周波識別システムのキャッチ装置。
【考案の詳細な説明】
【技術分野】
【０００１】
本考案は、無線周波識別システムのキャッチ装置に関し、特に、使用者が無線周波識別システムデータ・カードを使用する時、携帯や使用上により便利で、キャッチ装置に合わせて、該データ・カードが広く応用されることができる無線周波識別システムのキャッチ装置に関する。
【背景技術】
【０００２】
技術が飛躍する今日において、われわれは、日常生活に、例えば、クレジット・カード、テレホン・カード、金融カード、ドアロック・カード等の様々のカードについては、既に馴れていて、コード認識としての効果は、達成されているが、現在、既存するデータ・カードは、直接挿設するコンタクト式により、カード読取装置とデータを交換するため、長期に使用されると、カードが摩損されることにより、データ・カード内のデータが誤って識別されることが起こり、また、コンタクト式カードには、方向性があり、かつ、特定のコンタクト・ポイントが必要とするため、逆な方向で挿設すると、解釈できず、使用者の誤操作により、カード読取装置は、正確にデータを解釈できず、データ・カードとカード読取装置とが破壊されてしまい、
ゆえに、関係業者は、コンタクトカード読取装置を必要しなく、データ交換のできる、無線周波身分識別システム（Radio Frequency Identification System、RFIDと略称する）を開発し、それは、コンタクト式システムの問題点を解決するため、無線周波信号を利用する無線式でコードデータを伝送するものであり、データ・カード自身は、カード読取装置とコンタクトしなくても、データの交換ができ、また、該無線式データ伝送には、方向性を要求しないため、カードを取り出さなくても、直接にカード読取装置に認識されることができ、上記の問題点が解決されるが、該データ・カード自身が、一枚の薄いカードであるため、よく、使用者が、該データ・カードを置く場所を忘れてしまい、使用上の不便さがあり、故に、一般従来者のものは、使用者を満足するものとは言えない。
【考案の開示】
【考案が解決しようとする課題】
【０００３】
本考案の主な目的は、使用者がデータ・カードを使用する時、携帯や使用上により便利で、キャッチ装置に合わせて、該データ・カードが広く応用されることができる無線周波識別システムのキャッチ装置を提供する。
【課題を解決するための手段】
【０００４】
請求項１に記載の無線周波識別システムのキャッチ装置は、スロットがあるキャッチ装置と、上記キャッチ装置のスロットに挿設できメモリチップがあり、該メモリチップには、いろんなデータが記憶され、また、該メモリチップは、アンテナに接続される、データ・カードとを有する、ことを特徴する。
【０００５】
請求項２に記載の無線周波識別システムのキャッチ装置は、請求項１において、該キャッチ装置は、ＭＰ３、携帯電話、腕時計やベルトである、ことを特徴する。
【０００６】
請求項３に記載の無線周波識別システムのキャッチ装置は、請求項１において、該メモリチップ内には、ダイオードや容量等の素子がある、ことを特徴する。
【０００７】
請求項４に記載の無線周波識別システムのキャッチ装置は、請求項１において、該アンテナは、ＰＣＢ或いはエナメル線である、ことを特徴する。
【０００８】
請求項５に記載の無線周波識別システムのキャッチ装置は、少なくとも一つ以上のスロットがあり、内部には、アンテナが接続され、該アンテナには、メモリチップが接続される、キャッチ装置と、データが記憶され、また、上記キャッチ装置のスロット中に挿設でき、また、その一面にあるコンタクト部により、上記のアンテナと電気的に接続する、メモリチップと、を有する、ことを特徴する。
【０００９】
請求項６に記載の無線周波識別システムのキャッチ装置は、請求項５において、該キャッチ装置は、直接にアンテナを有するデータ・カードが挿設される第２のスロットを、更に含有する、ことを特徴する。
【００１０】
請求項７に記載の無線周波識別システムのキャッチ装置は、請求項５において、該キャッチ装置は、ＭＰ３、携帯電話やベルトである、ことを特徴する。
【００１１】
請求項８に記載の無線周波識別システムのキャッチ装置は、請求項５において、該メモリチップ内には、ダイオードや容量等の素子がある、ことを特徴する。
【００１２】
請求項９に記載の無線周波識別システムのキャッチ装置は、請求項５において、該アンテナは、ＰＣＢ或いはエナメル線である、ことを特徴する。
【００１３】
請求項１０に記載の無線周波識別システムのキャッチ装置は、その内にメモリチップがあり、該メモリチップに、いろんなデータが記憶され、また、その内に、誘導起電力を生成するアンテナが設置される、キャッチ装置を有する、ことを特徴する。
【００１４】
請求項１１に記載の無線周波識別システムのキャッチ装置は、請求項１０において、該キャッチ装置は、ＭＰ３、携帯電話やベルトである、ことを特徴する。
【００１５】
請求項１２に記載の無線周波識別システムのキャッチ装置は、請求項１０において、該メモリチップ内には、ダイオードや容量等の素子がある、ことを特徴する。
【００１６】
請求項１３に記載の無線周波識別システムのキャッチ装置は、請求項１０において、該アンテナは、ＰＣＢ或いはエナメル線である、ことを特徴する。
【００１７】
請求項１４に記載の無線周波識別システムのキャッチ装置は、ハウジングがあり、メモリチップとアンテナとがハウジングの内に設置される、キャッチ装置を有する、ことを特徴する。
【００１８】
請求項１５に記載の無線周波識別システムのキャッチ装置は、請求項１４において、該キャッチ装置は、ＭＰ３、携帯電話やベルトである、ことを特徴する。
【００１９】
請求項１６に記載の無線周波識別システムのキャッチ装置は、請求項１４において、  該メモリチップ内には、ダイオードや容量等の素子がある、ことを特徴する。
【００２０】
請求項１７に記載の無線周波識別システムのキャッチ装置は、請求項１４において、該アンテナは、ＰＣＢ或いはエナメル線である、ことを特徴する。
【００２１】
請求項１８に記載の無線周波識別システムのキャッチ装置は、粘着装置があり、前記粘着装置がメモリチップとアンテナとから形成され、ハウジングに貼り付けられる、キャッチ装置を有する、ことを特徴する。
【００２２】
請求項１９に記載の無線周波識別システムのキャッチ装置は、請求項１８において、該キャッチ装置は、ＭＰ３、携帯電話やベルトである、ことを特徴する。
【００２３】
請求項２０に記載の無線周波識別システムのキャッチ装置は、請求項１８において、  該メモリチップ内には、ダイオードや容量等の素子がある、ことを特徴する。
【００２４】
請求項２１に記載の無線周波識別システムのキャッチ装置は、請求項１８において、該アンテナは、ＰＣＢ或いはエナメル線である、ことを特徴する。
【００２５】
請求項２２に記載の無線周波識別システムのキャッチ装置は、該粘着装置は、フレキシブル回路板からなり、その一面に粘着物が塗布されている、ことを特徴する。
【考案の効果】
【００２６】
本考案によれば、使用者が無線周波識別システムデータ・カードを使用する時、携帯や使用上により便利で、キャッチ装置に合わせて、該データ・カードが広く応用されることができる。
【考案を実施するための最良の形態】
【００２７】
図１及び図２は、本考案の立体分解概念図と、本考案の使用状態概念図である。図のように、本考案は、無線周波識別システムのキャッチ装置であり、それは、キャッチ装置１と、データ・カード２とからなり、使用者がデータ・カード２を使用する時、携帯や使用上により便利で、キャッチ装置１に合わせて、該データ・カード２が広く応用されることができる。
【００２８】
上記の該キャッチ装置１には、スロット１１があり、該キャッチ装置１は、ＭＰ３、携帯電話、腕時計やベルト等のような、使用者が便利に持ち歩ける装置であり、該データ・カード２の内部には、メモリチップ２１があり、該メモリチップ２１には、いろんなデータが記憶され、該データ・カード２は、上記キャッチ装置１のスロット１１に挿設でき、該メモリチップ２１内には、ダイオードや容量等の素子（図に未表示）があり、該メモリチップ２１には、アンテナ２２が接続され、該アンテナ２２は、PCB或いはエナメル線であり、上記の結構により、新しい、無線周波識別システムのキャッチ装置が構成される。
【００２９】
組み立て上、必要に応じて、該キャッチ装置１は、MP３、携帯電話、腕時計やベルト等のような、使用者が便利に持ち歩ける装置であり、該キャッチ装置１上のスロット１１には、データ・カード２が挿設され、使用者は、使用する時、該データ・カード２が挿設されているキャッチ装置１を、カード読取装置３の感応区３１に対応する位置にし、該カード読取装置３の感応区３１と、データ・カード２との間には、交流磁場方式で互いにカップルすることにより、感応が起こられ、このカップル方式により、データ・カード２内のアンテナ２２に、誘導起電力が形成され、前記の誘導起電力は、メモリチップ２１内にあるダイオード及び容量等の素子（図に未表示）により、整流やフィルタされて、データ・カード２を動作させる必要な電源が発生し、カード読取装置３との、各種のデータの転送ができ、データ・カード２には、カード読取装置３からの安定な交流信号が提供され、データ・カード２は、これにより、カード読取装置３のエネルギを感応して充電され、メモリチップ２１を動作させ、データ・カード２内の各種データを判別してデータ交換を行う。
【００３０】
図３および図４は、本考案のデータ・カードの概念図と、本考案の他の実施例の立体分解概念図。図のように、該キャッチ装置４には、第１のスロット４１があり、該キャッチ装置４の内部には、アンテナ４２が接続され、該アンテナ４２は、PCB或いはエナメル線であり、而該アンテナ４２は、第１のスロット４１の傍に設置され、挿設されるメモリチップ２１と接続し、また、該キャッチ装置４は、MP３、携帯電話、腕時計やベルト等のような、使用者が便利に持ち歩ける装置であり、メモリチップ２１があり、該メモリチップ２１には、いろんなデータが記憶され、該メモリチップ２１内には、ダイオードや容量等の素子（図に未表示）があり、該メモリチップ２１は、データ・カード２から取り外して上記キャッチ装置４の第１のスロット４１に挿設でき、また、該メモリチップ２１は、その一面にあるコンタクト部２３により、上記のアンテナ４２と電気的に接続し、本考案は、これにより、実際に需要を満足する、もう一つの形態を構成する。
【００３１】
また、本考案は、さらに、第２のスロット４３を有することができ、この第２のスロット４３は、直接にデータ・カード２が挿設されることに使われ、本考案は、これにより、実際に需要を満足する、もう一つの形態を構成し、そのため、本考案のもう一つの実施例であるキャッチ装置４は、一つや一つ以上のスロットを有することができる。 
【００３２】
図５は、本考案の更に他の実施例の立体概念図である。図のように、該キャッチ装置５内には、メモリチップ２１が設置され、該メモリチップ２１には、いろんなデータが記憶され、該メモリチップ２１内には、ダイオードや容量等の素子（図に未表示）があり、該キャッチ装置５内には、誘導起電力を生成するアンテナ５１が設置され、該アンテナ５１は、PCB或いはエナメル線であり、また、該キャッチ装置５は、MP３、携帯電話やベルト等のような、使用者が便利に持ち歩ける装置であり、本考案は、これにより、実際に需要を満足する、更に他の形態を構成する。
【００３３】
図６は、本考案の更に他の実施例の立体分解概念図であり、図のように、該メモリチップ２１とアンテナ６１は、キャッチ装置６のハウジング６２内に設置され、また、該アンテナ６１は、キャッチ装置６の外形に従って、変更することができ、キャッチ装置６は、MP３、携帯電話、腕時計やベルト等のような、使用者が便利に持ち歩ける装置である。
【００３４】
図７は、本考案の更に他の実施例の立体分解概念図であり、図のように、該メモリチップ８２とアンテナ８１は、粘着装置８に設置され、キャッチ装置７のハウジングに貼り付けられ、また、該粘着装置８が、フレキシブル回路板からなり、その一面に粘着物を塗布して粘着装置８をキャッチ装置７上に貼り付けることにより、本考案の更に他の実施例を形成してもよいし、キャッチ装置７は、MP３、携帯電話、腕時計やベルト等のような、使用者が便利に持ち歩ける装置である。
【００３５】
以上の説明は、本考案においてのよりよい実施例であり、本考案の実施範囲は、それにより制限ではないもので、本考案の実用新案登録請求の範囲や考案明細書の内容に従って、簡単な等価変化や修正は、すべて本考案の実用新案登録範囲内に含まれている。
【図面の簡単な説明】
【００３６】
【図１】本考案の立体分解概念図である。
【図２】本考案の使用状態概念図である。
【図３】本考案のデータ・カード概念図である。
【図４】本考案の他の実施例の立体分解概念図である。
【図５】本考案の更に他の実施例の立体概念図である。
【図６】本考案の更に他の実施例の立体分解概念図である。
【図７】本考案の更に他の実施例の立体分解概念図である。
【符号の説明】
【００３７】
１  キャッチ装置
１１  スロット
２  データ・カード
２１  メモリチップ
２２  アンテナ  
２３  コンタクト部
３  カード読取装置
３１  感応区
４  キャッチ装置
４１  第１のスロット
４２  アンテナ
４３  第２のスロット
５  キャッチ装置
５１  アンテナ
６  キャッチ装置
６１  アンテナ
６２  ハウジング
７  キャッチ装置
８  粘着装置
８１  アンテナ
８２  メモリチップ
【図１】
0003101614.tif 000003
【図２】
0003101614.tif 000004
【図３】
0003101614.tif 000005
【図４】
0003101614.tif 000006
【図５】
0003101614.tif 000007
【図６】
0003101614.tif 000008
【図７】
0003101614.tif 000009